(57)【特許請求の範囲】
【請求項１】
互いに並行に上下方向に並べて配置され、それぞれ開閉可能に設けられる複数の耐火性遮蔽板を備え、防火区画の開口部に設置されるとともに、
前記複数の耐火性遮蔽板は、それぞれ上下の長手方向の端面部に対角位置で対称に突部が設けられることにより長手方向に沿った端部がクランク形状に形成され、
前記複数の耐火性遮蔽板が閉じ状態では、隣接する双方の前記耐火性遮蔽板のクランク形状部分同士が互いに噛み合わされて互いに係合状態で連接されるとともに、
それぞれの前記耐火性遮蔽板の前記突部の前記耐火性遮蔽板が閉じられたときに上下方向を向く上端面側部分には熱感応型発泡材が設けられ、火災発生時に所定の高温となった時点で前記熱感応型発泡材が発泡膨張して前記クランク形状部部分同士間の隙間が塞がれることを特徴とする防火ブラインド。
【請求項２】
防火区画の開口部に、請求項１記載の防火ブラインドを使用したことを特徴とする防火区画システム。
【請求項３】
防火区画における防火シャッターの適用箇所に、前記防火シャッターの代わりに、請求項１記載の防火ブラインドが使用されていることを特徴とする防火区画システム。
【請求項４】
請求項３記載の防火区画システムにおいて、
前記防火区画の防火シャッターの適用箇所とは、エスカレータなどの竪穴区画を囲む周囲箇所であることを特徴とする防火区画システム。
【請求項５】
請求項４記載の防火区画システムにおいて、
前記防火ブラインドは、エスカレータ上方の防火下り壁に沿って、前記エスカレータ近傍側方に下された状態で設けられていることを特徴とする防火区画システム。
【発明の詳細な説明】
【０００１】
【発明の属する技術分野】
本発明は、防火区画の開口部に使用する防火機能を有する防火ブラインド、およびそれを使用した防火区画システムに関する。
【０００２】
【従来の技術】
建築基準法、消防法などでは、建物の火災時の延焼を防止するために、建物内の所定面積の空間ごとに、耐火間仕切壁などで区画する防火区画を設けることが義務づけられている。
【０００３】
かかる防火区画を設けておくことにより、万が一にも火災が発生した場合でも、火災を防火区画の一部に閉じ込めるなどして局部的なものに抑えることができる。火災を局部的なものに抑えることにより、建物全体への延焼を防止したり、あるいは消火し易くしたり、あるいは火災発生部から避難路を隔離するなどして居住者を安全に避難させることができる。
【０００４】
かかる防火区画の開口部には、防火シャッターが設けられる場合がある。建築基準法では、かかる開口部に設ける耐火設備としては、耐火６０分の耐火性能、あるいは耐火２０分の耐火性能を有することが求められている。
【０００５】
かかる耐火性能を有する防火シャッターが用いられる場合としては、例えば、上下階を連絡するエスカレータの側面部位に使用される場合が挙げられる。かかるエスカレータの設置箇所は、上下階を竪方向に吹き抜け状に形成した空間で、竪穴区画とも呼ばれるが、火災時に吹き抜け火焔が発生した場合でも、上階に延焼などが起きないように、かかる竪穴区画とその周囲とは防火区画で区画されている。
【０００６】
図６には、竪穴区画と周囲の区画を防火シャッターで区画した様子を示した。
図６に示すように、エスカレータ１の上方部分には、火災時の煙の拡散などを防止するための防火下り壁２が設けられ、これに隣接した天井３の内側にはシャッターボックス４が設けられている。シャッターボックス４のモータにより昇降可能に構成された防火シャッター５が垂下されて設置されている。
【０００７】
平常時には、かかる防火シャッター５は巻き上げられており、例えば、デパートなどのように上階の売り場がエスカレータ１の利用客から見渡せるように視界が確保できるように配慮されている。一方、火災発生時には、防火シャッター５が降ろされ下階から竪穴区画６を上昇してきた火焔などによる上階への延焼を防止できるように構成されている。
【０００８】
かかる構成の防火シャッター５の裏面側には、火災時に万が一にも防火シャッター５に不具合が発生して、防火機能を十分に発揮できない場合でも大丈夫なように、近年はガラススクリーン７が設けられている。
【０００９】
【発明が解決しようとする課題】
上記の如く防火シャッターは延焼防止の重要な役目を担っているが、過去には、防火シャッターが火災時に降下不具合を起こしたため、十分な延焼防止効果が発揮されず、延焼拡大に繋がり多数の人命が失われた例も報告されている。そこで降下不具合が発生しない構成の防火設備が求められる。
【００１０】
そこで、かかる降下不具合が発生する虞のない防火戸を使用した例も多数見受けられる。しかし、従来の防火戸は、規定の耐火性能を持たせるため、分厚い鋼板で形成されており、防火戸を使用した構成では、防火シャッターの巻上げ時に見られるような十分な視界確保は期待できない。
【００１１】
デパートなど意匠的にも、顧客に広々とした空間的開放感を与えるような雰囲気作りが重要視される空間構成では、重厚で、且つ視界確保が十分に行えない防火戸の使用は難しい場合も考えられる。そこで、図６に示すように、防火シャッターの背後に隣接して天井側から床までガラススクリーンを設けておき、視界の確保を行うとともに、万が一にも防火シャッターの下降不具合が発生しても、ある程度の延焼防止ができるような対策が採られている。
【００１２】
確かに、防火シャッターの背後にガラススクリーンを設けて二重に延焼防止を行うことは悪くはないが、設備効率という観点からは、二重の安全策を設けずに下降不具合を回避できる防火設備の開発が求められている。
【００１３】
また、かかるガラススクリーンは、視界確保の点で防火戸に比べて勝っているが、空間をガラス面で画分するため、区画された空間同士の空気の流通は遮断される。そのため、暖房、冷房などの空気調整においては、その部分で空気の流れの遮断に基づく空調不良が発生し易いという問題がある。
【００１４】
さらには、冷房時期などにおいては、室内湿度と室内温度とのバランスがとれない場合もあり、ガラススクリーンの透明なガラス面に結露が発生するなど曇りが見られ、デパートなど快適な売り場空間を演出できない場合も発生する。
【００１５】
また、防火シャッターは、図６に示すように、モータ巻上げなどにより天井側に昇降可能に構成するため、シャッターボックスを設けているが、その分、防火シャッターのシャッータ面をフロア側に入り込んだ状態で設けなければならなかった。そのため、エスカレータの上階部分における乗降口の様子を示す図６からも分かるように、シャッター面５ａがエスカレータ側面１ａからかなり離れた位置に垂下されて、シャッター面５ａとエスカレータ側面１ａとの間はデッドスペース８となっていた。
【００１６】
デパートなどでは、少しでもフロア面積当たりの売りげ向上を目指すことが求められるため、かかる無駄なデッドスペースが発生しない技術が求められる。
【００１７】
本発明は、平常時の視界確保が十分に行え、火災時には防火シャッターに代わって十分に延焼防止機能が発揮できる防火設備、およびそれを使用した防火区画を提供することにある。
【００１８】
【課題を解決するための手段】
本発明の防火ブラインドは、互いに並行に上下方向に並べて配置され、それぞれ開閉可能に設けられる複数の耐火性遮蔽板を備え、防火区画の開口部に設置されるとともに、前記複数の耐火性遮蔽板は、それぞれ上下の長手方向の端面部に対角位置で対称に突部が設けられることにより長手方向に沿った端部がクランク形状に形成され、前記複数の耐火性遮蔽板が閉じ状態では、隣接する双方の前記耐火性遮蔽板のクランク形状部分同士が互いに噛み合わされて互いに係合状態で連接されるとともに、それぞれの前記耐火性遮蔽板の前記突部の前記耐火性遮蔽板が閉じられたときに上下方向を向く上端面側部分には熱感応型発泡材が設けられ、火災発生時に所定の高温となった時点で前記熱感応型発泡材が発泡膨張して前記クランク形状部部分同士間の隙間が塞がれることを特徴とする。
【００１９】
本発明の防火区画システムは、上記いずれかの構成の防火ブラインドを防火区画の開口部に使用したことを特徴とする。あるいは、上記いずれかの構成の防火ブラインドを、防火区画における防火シャッターの適用箇所に、前記防火シャッターの代わりに使用したことを特徴とする。前記防火区画の防火シャッターの適用箇所とは、エスカレータなどの竪穴区画を囲む周囲箇所であることを特徴とする。あるいは、前記防火ブラインドは、エスカレータ上方の防火下り壁に沿って、前記エスカレータ近傍側方に下された状態で設けられていることを特徴とする。
【００２０】
【発明の実施の形態】
以下、本発明の実施の形態を図面に基づいて詳細に説明する。図１は、本発明の防火ブラインドを竪穴区画の一部に使用した構成を示す一部断面説明図である。図２は、本発明の防火ブラインドを構成する複数の耐火性遮蔽板を開け状態にした様子を示す部分斜視図である。図３（Ａ）は、複数の耐火性遮蔽板を閉じ状態にした場合の様子を一部断面で示した部分拡大図であり、（Ｂ）は（Ａ）に示す複数の耐火性遮蔽板の開閉時の回転状況を示す説明図である。
【００２１】
図１に示す場合には、本発明の防火ブラインド１０は、エスカレータ１１を有する竪穴区画２０を囲う防火区画の一部として使用されている。エスカレータ１１の上方には、火災時の煙の拡散を防止する防火下り壁１２が設けられている。
防火下り壁１２に接して天井１３が設けられている。
【００２２】
防火下り壁１２の少し手前から、床１４に向けて下方に防火ブラインド１０が鉛直に設置されている。防火ブラインド１０の枠部材１０ａの上端部（図示せず）が天井１３側に固定され、下端部（図示せず）が床１４に固定されている。枠部材１０ａの内側に、図２に部分的に示すように、複数の耐火性遮蔽板１５が互いに並行に上下方向に並べて設けられている。
【００２３】
耐火性遮蔽板１５は、細長の矩形板状に形成されている。耐火性遮蔽板１５の長さは、例えば、従来構成の防火シャッターの巾に合わせた長さ程度に設定すればよい。かかる長さに設定することにより、従来の防火区画で使用していた防火シャッターの代わりに、本発明の防火ブラインドを使用することができる。また、従来の防火戸の代わりに防火ブラインドを使用する場合には、かかる防火戸の巾に合わせて耐火性遮蔽板１５の長さを設定しておけばよい。
【００２４】
なお、防火ブラインド１０の耐火性遮蔽板１５の長さはかかる長さに限定する必要はなく、必要に応じて適宜長さ、適宜巾に設定すればよいことは勿論である。
【００２５】
個々の耐火性遮蔽板１５は、図３に示すように、その断面はクランク状に形成されている。すなわち、耐火性遮蔽板１５の上下の対向する長手方向の端面部１５ａ、１５ｂは、その対角位置で対称に突部１６ａ、１６ｂが設けられ、耐火性遮蔽板１５の長手方向に対する短断面が略クランク状に屈曲された形状に形成されてクランク形状部分が設けられている。
【００２６】
上記構成の耐火性遮蔽板１５の両端面には、図３（Ａ）に示すように、中央に回転中心１７が設けられ、枠部材１０ａの左右部にその回転中心１７が回転可能に取り付けられている。耐火性遮蔽板１５は、その回転中心１７の回りに、図３（Ｂ）に示すように回転させることができる。耐火性遮蔽板１５の回転は、例えば、モータ回転で自動的に迅速に行えるように構成しておけばよい。
【００２７】
複数の耐火性遮蔽板１５の回転機構としては、複数の耐火性遮蔽板１５をワイヤー（図示せず）で連結しておき、このワイヤーをモータで巻上げたり、あるいは巻き戻したりして複数の耐火性遮蔽板１５の開閉を行うようにすればよい。しかし、回転機構はかかるモータ回転機構以外の構成でも構わなく、例えば、手動で回転させるものであっても構わない。
【００２８】
図３（Ｂ）のように、個々の耐火性遮蔽板１５を回転矢印方向に同期させて回転させることにより、板面が横方向に位置するようにすれば、防火ブラインド１０の耐火性遮蔽板１５の間を通して、視界が確保される。併せて、空気流通も確保される。
【００２９】
また、図３（Ｂ）に示した回転矢印方向とは逆方向に耐火性遮蔽板１５を回転させると、上下に隣接する耐火性遮蔽板１５のそれぞれの長手方向の端面部１５ａ、１５ｂに設けた突部１６ａ、１６ｂ同士が互いに係合して、図３（Ａ）に示すように閉じ状態にされる。このように、突部１６ａ、１６ｂが噛み合った状態に係合して閉じ状態に構成されるため、防火ブラインド１０を介して隔てられた一方の空間から、他方の空間に炎や高温空気、煙が流れ込むことはなく、延焼を効果的に防止することができる。
【００３０】
上記構成の防火ブラインド１０の枠部材１０ａ、耐火性遮蔽部材１５は、スチール、ステンレスなどの耐火性能を有する材質で形成すればよい。例えば、現行の耐火規格に適合するように、耐火２０分の耐火性能、あるいは耐火６０分の耐火性能を有するように材質選定を行えばよい。また、図４に示すように、スチールあるいはステンレスなどで形成した遮蔽板１８の表面に、耐火塗装などの耐火被覆１８ａを形成することにより、耐火性遮蔽板１５を形成しても構わない。
【００３１】
耐火被覆１８ａとして、所定温度で発泡して膨張する熱感応型発泡材を使用しても構わない。火災時の高温で、発泡することにより、隣接する耐火性遮蔽板１５間の隙間を効果的に塞ぐことができる。熱感応型発泡材としては、ケイ酸ソーダ系、カーボングラファイト系などの従来より使用されているものを使用すればよい。
【００３２】
さらには、図４に示すように、突部１６ａ、１６ｂの上端面側部分のみに熱感応型発泡材１９を設けるようにしてもよい。このように構成しておけば、火災発生時に、隣接する耐火性遮蔽板１５を閉じ状態にしたときのクランク形状部分同士間の隙間を、所定の高温になった時点で、発泡膨張してより効果的に塞ぐことができる。
【００３３】
なお、上記熱感応型発泡材は、耐火性遮蔽板１５を閉じ状態にしたときに発生するおそれのある隙間部に、開閉時に支障を来さないように設けておき、火災時に感熱発泡して隙間を塞ぐようにしておけばよい。
【００３４】
上記説明では、エスカレータ１１を設けた竪穴区画２０の一部に、防火ブラインド１０を使用した防火区画システムについて説明したが、これ以外の防火区画で使用することができるのは勿論である。例えば、異種用途区画、裸火区画、水平区画などに使用しても構わない。防火戸を設置したいが、平常時に開放感や見通しを確保したい場所に有効に使用することができる。
【００３５】
あるいは、防火シャッターを使用したいが、火災時における降下不具合を懸念する場合にも、本発明の防火ブラインド１０は、防火シャッターに代えて使用することができる。
【００３６】
図５に、避難階段３０の防火区画システムに前記説明の防火ブラインド１０を使用した場合を示す。避難階段３０は、防火区画壁３１により室内３２と区画されている。防火区画壁３１には、避難階段３０側と室内３２との出入りができるように防火戸３３、および防火ブラインド１０が設けられている。防火戸３３には耐火ガラス３４が使用され、階段室３５側の採光が十分に確保されるように構成されている。
【００３７】
また、階段室３５側には、車椅子使用者などの歩行困難者が、火災時の避難階段の利用に際して、急いで避難する避難者の流れに巻き込まれて転倒したりなどしないように、待避所３６が設けられている。待避所３６を構成する防火区画壁３１部分には、耐火ガラス３７が設けられて、室内側の状況確認が、あるいは室内側に進入した救助隊が待避所に待避者がいるか居ないか確認できるようになっている。
【００３８】
上記のように防火ブラインド１０を設けた避難階段区画システムでは、平常時に、防火ブラインド１０の耐火性遮蔽板１５を開状態にしておけば、室内３２と避難階段３０の階段室３５側とは空気流通が可能となり、階段室３５側の換気が確保される。従来構成では、室内３２側と階段室３５側とは、防火戸３３を介して繋がっているだけのため、防火戸３３を開状態にする以外には、室内３２との通気性確保を行うことができず、階段室３５側に外部との換気用の換気扇などを設けていた。
【００３９】
しかし、図５に示すように、本発明の防火ブラインド１０を使用することにより、防火戸３３を閉じ状態にしておいても十分に室内３２と階段室３５側との通気性が確保でき、階段室３５用の換気扇を設けることなく、階段室３５側の換気を行うことができる。
【００４０】
【発明の効果】
本発明の防火ブラインドを使用することにより、防火区画に設けた防火戸を閉じた状態でも、採光および通気性を確保することができる。
【００４１】
本発明の防火ブラインドは、複数の耐火性遮蔽板を回転させて開閉を行うため、従来構成の防火シャッターとは異なり、火災時の降下不具合の心配がない。また、防火シャッターを使用する場合とは異なり、天井側などに防火シャッターを巻き上げるシャッターボックスの設置スペースを必要とせず、防火シャッターを使用した場合とは異なり、デッドスペースの発生を防止することができる。その分、スペースの有効活用が図れる。
【００４２】
本発明の防火区画システムでは、昇降機構を採用しない防火ブラインドを使用しているため、火災時における降下不具合に纏わる懸念がなく、さらに平常時には、採光、視界、通気性の確保が行える。
【図面の簡単な説明】
【図１】本発明の一実施の形態の防火ブラインドを竪穴区画の一部に使用した構成を示す一部断面説明図である。
【図２】防火ブラインドの複数の耐火性遮蔽板を開け状態にした様子を示す部分斜視図である。
【図３】（Ａ）は複数の耐火性遮蔽板を閉じ状態にした場合の様子を一部断面で示した部分拡大図であり、（Ｂ）は（Ａ）に示す複数の耐火性遮蔽板の開閉時の回転状況を示す説明図である。
【図４】耐火性遮蔽板の構成を示す断面図である。
【図５】避難階段区画システムに防火ブラインドを適用した構成を示す斜視図である。
【図６】竪穴区画の側方に防火シャッターを設けた従来構成の防火区画システムの様子を示す一部断面説明図である。
【符号の説明】
１      エスカレータ
１ａ    エスカレータ側面
２      防火下り壁
３      天井
４      シャッターボックス
５      防火シャッター
５ａ    シャッター面
６      竪穴区画
７      ガラススクリーン
８      デッドスペース
１０    防火ブラインド
１０ａ  枠部材
１１    エスカレータ
１２    防火下り壁
１３    天井
１４    床
１５    耐火性遮蔽板
１５ａ  端面部
１５ｂ  端面部
１６ａ  突部
１６ｂ  突部
１７    回転中心
１８    遮蔽板
１８ａ  耐火被覆
１９    熱感応型発泡材
２０    竪穴区画
３０    避難階段
３１    防火区画壁
３２    室内
３３    防火戸
３４    耐火ガラス
３５    階段室
３６    待避所
３７    耐火ガラス
【図１】
0004566387.tif 000002
【図２】
0004566387.tif 000003
【図３】
0004566387.tif 000004
【図４】
0004566387.tif 000005
【図５】
0004566387.tif 000006
【図６】
0004566387.tif 000007